(57)【要約】【課題】  現場における作業を少なくできるとともに、小型ユニット化して運搬が容易になり、組立作業も簡単で工期を短縮できるをキャノピー装置提供する。【解決手段】  敷地１上に立設され上端部側に取付け部１１ａを設けた支柱１１と、複数個に分割された平坦な部分屋根部１２，１３から構成され、これらの部分屋根部１２，１３の端面側を互いに連結させるための連結部２０が形成され、端面側を互いに当接させて全体として１つの平坦な屋根部材に組立てられて支柱１１の取付け部１１ａに取付けられる屋根部１４とを備える。【選択図】      図１
2005179937.tif 000002
【特許請求の範囲】
【請求項１】
敷地上に立設され上端部側に取付け部を設けた支柱と、複数個に分割された平坦な部分屋根部から構成され、これらの部分屋根部の端面側を互いに連結させるための連結部が形成され、該端面側を互いに当接させて全体として１つの平坦な屋根部材に組立てられて前記支柱の取付け部に取付けられる屋根部とを備えることを特徴とするキャノピー装置。
【請求項２】
前記屋根部の部分屋根部には、電気機器を取付けるための取付け部が設けられているとともに、その電気機器のための配線が施され、かつ前記連結部は、前記部分屋根部の端面側を互いに機械的に連結させるとともに、コネクタの接続により前記配線間を接続することを特徴とする請求項１記載のキャノピー装置。
【請求項３】
前記屋根部の周縁部は、上向きの縁部が形成されていることを特徴とする請求項１記載のキャノピー装置。
【発明の詳細な説明】
【技術分野】
【０００１】
本発明は、給油所、ガス充填所あるいは駐車場等に設置されるキャノピー装置に関するものである。
【背景技術】
【０００２】
従来、給油所、ガス充填所あるいは駐車場等に設置されるキャノピーは、敷地に立設した支柱上に屋根部がオーバーハングした状態で設けられている。したがって、キャノピーを設置する場合には、足場を組んで高所での組立作業を必要としていたが、本出願人は、基礎上に支柱よりなる主架構を立設し、その主架構の周囲で屋根部の骨組を組立て、その骨組を所定高さ持ち上げて主架構に仮止めし、その所定高さの所で屋根部を組立て、次いで、その組立てた屋根部を主架構の上部まで吊上げて固定する給油所のキャノピーの製造方法に関する技術を開示している（例えば、特許文献１参照。）。また、屋根の骨組構造の基準となる筒体の貫通穴内に支柱を挿通した状態で、支柱の下側で屋根を組立て、この組立てた屋根を支柱をガイドとして引上げ、支柱の上側に位置した各係合部材を筒体の上側に設けたフランジ部に係合させて屋根を支柱の上部に支持し、支柱と貫通穴との間に固化材を充填して固定するキャノピー装置及びその組立方法が開示されている（例えば、特許文献２参照。）。
【特許文献１】特開平９−２７９８７１号公報（第２〜３ページ、図１〜７）
【特許文献２】特開平１０−３７３１５号公報（第２〜５ページ、図１〜１１）
【発明の開示】
【発明が解決しようとする課題】
【０００３】
従来のキャノピーでは、給油所等の現場において足場を組んだりすることなく地上で屋上部を組立ててから取付けることができるが、屋根部の下面に照明器具や監視カメラを取付け、それぞれに電気配線を施す作業が必要であった。また、それぞれの設置場所に合せた構造にしているため、屋根部が大きいときには運搬も困難であるとともに、組立作業にも時間がかかるおそれがあった。
【０００４】
本発明は上記事情に鑑みなされたもので、現場における作業を少なくできるとともに、小型ユニット化して運搬が容易になり、組立作業も簡単で工期を短縮できるキャノピー装置を提供することを目的とする。
【課題を解決するための手段】
【０００５】
上記目的を達成するために請求項１に記載の発明にあっては、敷地上に立設され上端部側に取付け部を設けた支柱と、複数個に分割された平坦な部分屋根部から構成され、これらの部分屋根部の端面側を互いに連結させるための連結部が形成され、該端面側を互いに当接させて全体として１つの平坦な屋根部材に組立てられて前記支柱の取付け部に取付けられる屋根部とを備えることを特徴とするものである。屋根部が複数個に分割された平坦な部分屋根部から構成され、連結部において連結されるため、現場における作業を少なくできるとともに、小型ユニット化して運搬が容易になり、組立作業も簡単で工期を短縮できる。
【０００６】
請求項２に記載の発明にあっては、前記屋根部の部分屋根部には、電気機器を取付けるための取付け部が設けられているとともに、その電気機器のための配線が施され、かつ前記連結部は、前記部分屋根部の端面側を互いに機械的に連結させるとともに、コネクタの接続により前記配線間を電気的に接続することを特徴とするものである。連結部における連結で配線を電気的に接続できるため、電気配線の作業を少なくすることができる。
【０００７】
請求項３に記載の発明にあっては、前記屋根部の周縁部は、上向きの縁部が形成されていることを特徴とするものである。屋根部の周縁部に上向きの縁部が形成されていることで、燃料ガスが漏れた場合でも屋根部の底部に滞留することなく拡散し、屋根部の周縁部から下方の燃料供給エリア側に直接にガスが流れ出さないようにできる。
【発明の効果】
【０００８】
敷地上に立設され上端部側に取付け部を設けた支柱と、複数個に分割された平坦な部分屋根部から構成され、これらの部分屋根部の端面側を互いに連結させるための連結部が形成され、端面側を互いに当接させて全体として１つの平坦な屋根部材に組立てられて支柱の取付け部に取付けられる屋根部とを備えることで、現場における作業を少なくできるとともに、小型ユニット化して運搬が容易になり、組立作業も簡単で工期を短縮できる。
【発明を実施するための最良の形態】
【０００９】
以下、本発明を図示の一実施形態により具体的に説明する。図１〜図４は本発明実施形態のキャノピー装置を説明する図であり、図１はキャノピー装置の正面図、図２は図１のキャノピー装置のＡ−Ａ線断面図、図３はキャノピー装置の連結部の拡大断面図、図４はキャノピー装置を備えた燃料供給所の斜視図である。
【００１０】
本実施形態のキャノピー装置１０は、例えば、給油所あるいはガス充填所等の燃料供給所の敷地１上に立設された複数本の支柱１１と、これら支柱１１の上部側に設けられた取付け部１１ａに取付けられる屋根部１４等とから構成されており、その屋根部１４が、事務所４前の敷地１上の燃料供給エリアに配置された燃料油あるいは燃料ガスを供給する燃料供給装置２の上部側を覆うようになっている。また、この敷地１上には、支柱６が立設され、この支柱６の上端部に燃料供給の案内用の看板５等が取付けられている。
【００１１】
屋根部１４は、複数個（例えば、３個）に分割された矩形状で平坦な部分屋根部１２，１２，１３から構成されている。これらの部分屋根部１２，１２，１３は、それぞれの端面側を互いに連結させるための連結部２０が形成されており、端面側を互いに当接させて全体として１つの平坦な屋根部材に組立てられるようになっている。両側の部分屋根部１２，１２は、支柱１１の上部に取付けられるものであり、中央の部分屋根部１３は、部分屋根部１２，１２の間に取付けらるものである。部分屋根部１２，１２，１３は、それぞれ所定の大きさにユニット化された形状に形成され、それぞれの下面には後の組立後に取付けられる照明器具１５や監視カメラ１６等の電気機器の取付け部が予め設けられ、かつこれらの電気機器への電力供給あるいは信号伝送のための配線１７が施されている。また、これらの部分屋根部１２，１２，１３の互いに連結される端面を除く周縁部には、上向きにやや突設された縁部１２ａ，１２ａ，１３ａが形成されている。すなわち、屋根部１４の周縁部は、上向きの縁部１２ａ，１２ａ，１３ａにより囲まれるようになっている。これら縁部１２ａ，１２ａ，１３ａは、燃料ガスが漏れて屋根部１４の上部に滞留したときに、屋根部１４の周縁部から下方の燃料供給エリア側に直接に流れ出さないようにするためであり、上方にやや突出する程度の大きさに形成されている。
【００１２】
連結部２０は、図３に示すように、部分屋根部１２，１２，１３が当接されるそれぞれの端面に設けられている。すなわち、一方の部分屋根部１３の端面には、連結ブロック２２が取付けられ、この連結ブロック２２に一端部側を固定させ他端部側を水平方向に突出させた一対の連結棒２７，２７が取付けられ、かつ連結棒２７，２７の中間の連結ブロック２２に配線１７に接続されたオス型のコネクタ２８が接続部分を水平方向に突出させて取付けられている。これらの連結棒２７，２７の突出された端部側の周縁部には、ロック用の溝部２７ａ，２７ａが形成されている。また、他方の部分屋根部１２の端面には、連結ブロック２１が取付けられ、この連結ブロック２１の連結棒２７，２７に対応する部分には、それら連結棒２７，２７の突出された端部側が嵌合される連結孔２３，２３が形成され、これらの連結孔２３，２３の内部にはスプリング２５により孔内部へやや突出されるように付勢力を与えられた鋼球２５が取付けられ、かつ連結孔２３，２３の中間の連結ブロック２１には配線１７に接続されたオス型のコネクタ２８に接続されるメス型のコネクタ２６が取付けられている。すなわち、連結部２０は、部分屋根部１３の連結棒２７，２７の突出された端部側を、部分屋根部１２の対応する連結孔２３，２３に嵌合させ、それぞれの部分屋根部１３，１２の端面が当接するまで押し込むと、スプリング２５により付勢された鋼球２５の表面が溝部２７ａに係入されて機械的にロックされ、同時にオス型のコネクタ２８とメス型のコネクタ２６とが接続されて配線１７，１７が互いに電気的に接続されるようになる。
【００１３】
上記構成のキャノピー装置１０の設置は、まず、複数本の支柱１１を敷地１上に立設した後、敷地１に搬入した部分屋根部１２，１２，１３の端面側を連結部２０により端面側を互いに当接させて全体として１つの平坦な屋根部１４に組立て、次に、屋根部１４をクレーン等で吊上げ、支柱１１の取付け部１１ａに固定する。また、部分屋根部１２，１２，１３の下面の取付け部には、所定の照明器具１５や監視カメラ１６等の電気機器が取付けられ、また、支柱１１の取付け部１１ａの近傍に設けられた配線１７は、支柱１１に沿って地上の電源部あるいは制御部に接続するよう配線が施され、さらに、屋根部１４の上面に貯まる雨水等を敷地１に形成された溝３に案内するよう配管１８が取付けられる。
【００１４】
上記構成のキャノピー装置１０では、屋根部１４が複数個に分割された部分屋根部１２，１２，１３から構成され、これらの部分屋根部１２，１２，１３の端面側を連結部２０で互いに当接させて全体として１つの平坦な屋根部材に組立てるため、それぞれの部分屋根部１２，１２，１３を現地において地上で簡単に組立てることができ、かつ連結部２０においては、連結棒２７，２７を対応する連結孔２３，２３に嵌合させて押し込むと機械的にロックされ、同時にコネクタ２６，２８が接続されて電気的に接続されるため、予め部分屋根部１２，１２，１３に取付ける照明器具１５や監視カメラ１６等の電気機器の配線の作業が簡単になるとともに、現場における作業を少なくできる。また、屋根部１４が複数個に分割された部分屋根部１２，１２，１３から構成されているため、それぞれを予め小型ユニット化して製造することが可能になり、運搬が容易になるだけでなく、組立作業も簡単で安全にでき工期も短縮できる。さらに、本実施形態の屋根部１４の周縁部は、上向きの縁部１２ａ，１２ａ，１３ａにより囲まれるようになっているため、燃料ガスが漏れた場合でも屋根部１４の底部に滞留することなく拡散し、屋根部１４の周縁部から下方の燃料供給エリア側には直接にガスが流れ出さないようにできる。
【００１５】
なお、上記実施形態において、屋根部１０を３個に分割した部分屋根部１２，１２，１３で構成した例を説明したが、任意の複数個に分割されていればよく、形状や大きさも任意にできる。また、連結部２０は、連結棒２７，２７を連結孔２３，２３に嵌合する例を説明したが、その他の機械的な機械的に連結する手段を採用することができる。
【産業上の利用可能性】
【００１６】
給油所、ガス充填所あるいは駐車場等に設置されるキャノピー装置に利用できる。
【図面の簡単な説明】
【００１７】
【図１】本発明実施形態のキャノピー装置の正面図である。
【図２】図１のキャノピー装置のＡ−Ａ線断面図である。
【図３】本発明実施形態のキャノピー装置の連結部の拡大断面図である。
【図４】本発明実施形態のキャノピー装置を備えた燃料供給所の斜視図である。
【符号の説明】
【００１８】
１  敷地
２  燃料供給装置
３  溝
４  事務所
５  看板
６  支柱
１０  キャノピー装置
１１  支柱
１１ａ  取付け部
１２  部分屋根部
１２ａ  縁部
１３  部分屋根部
１３ａ  縁部
１４  屋根部
１５  照明器具
１６  監視カメラ
１７  配線
２０  連結部
２１  連結ブロック
２２  連結ブロック
２３  連結孔
２４  鋼球
２５  スプリング
２６  メス型のコネクタ
２７  連結棒
２７ａ  溝部
２８  オス型のコネクタ
【図１】
2005179937.tif 000003
【図２】
2005179937.tif 000004
【図３】
2005179937.tif 000005
【図４】
2005179937.tif 000006